(57)【要約】【課題】簡単な構成で、かつ、低コストで照明方向を変えることができるようにする。【解決手段】照明アダプタ３２は、係合用突部３２ｂを有しており、弾性変形することにより、リング照明装置３１に設けられた係合用溝部３１ａと、スナップフィット式に係合される。そして、ユーザによって照明アダプタ３２の中心のＺ軸を回転軸とする回転操作が行われた場合、その回転操作に対応して開口部３２Ａも移動し、照明部４１からの照明光は、開口部３２Ａの回転位置に応じてその照明方向が変更される。これにより、簡単な構成で、かつ、低コストで照明方向を変えることが可能となる。本発明は、リング照明装置を使用する顕微鏡に適用できる。【選択図】図２
2009186709.tif 000002
【特許請求の範囲】
【請求項１】
リング状に試料を照明する照明装置に装着するための取付部と、
前記照明装置に取り付けたとき照明光の光路に配置される第１の開口部と
を備え、
前記第１の開口部は、前記光路に対する前記第１の開口部の位置を変更する位置変更部材を備える
ことを特徴とする照明アダプタ。
【請求項２】
前記位置変更部材は、前記第１の開口部をリングの中心軸を軸として回転可能に取り付ける回転部材である
ことを特徴とする請求項１に記載の照明アダプタ。
【請求項３】
前記照明装置からの照明光の光路に配置され、前記中心軸を軸として回転し、前記第１の開口部との位置が合わせられる第２の開口部を有する他の照明アダプタが前記取付部で取着される
ことを特徴とする請求項２に記載の照明アダプタ。
【請求項４】
前記他の照明アダプタは、前記中心軸の軸方向に移動可能である
ことを特徴とする請求項３に記載の照明アダプタ。
【請求項５】
前記第１の開口部は、１または複数設けられる
ことを特徴とする請求項１から４の何れか一項に記載の照明アダプタ。
【請求項６】
前記第１の開口部は、扇形、矩形、円形、若しくは楕円形の形状、または切り欠き状の形状となる
ことを特徴とする請求項１から５の何れか一項に記載の照明アダプタ。
【請求項７】
前記取付部は、リング状に設けられた係合用突部であり、
前記照明装置に設けられた係合用溝部とスナップフィット式に係合される
ことを特徴とする請求項１から６の何れか一項に記載の照明アダプタ。
【請求項８】
請求項１から７の何れか一項に記載の照明アダプタを取着している
ことを特徴とする照明装置。
【請求項９】
請求項８に記載の照明装置を取着している
ことを特徴とする顕微鏡。
【発明の詳細な説明】
【技術分野】
【０００１】
本発明は、照明アダプタ、照明装置、および顕微鏡に関する。
【背景技術】
【０００２】
従来より、顕微鏡用の照明として、例えばリングファイバ照明やリングLED（Light Emitting Diode）照明等のリング照明装置が用いられている。リング照明装置は、顕微鏡の鏡筒端面に取り付けられ、リングの円周上から中心に向かって試料を照明する。
【０００３】
また、リング状に試料を照明するリング照明装置としては、例えば、特許文献１が知られている。
【特許文献１】特開２００２−１３１６４７号公報
【発明の開示】
【発明が解決しようとする課題】
【０００４】
しかしながら、特許文献１を含む従来の技術においては、リング照明装置の照明方向を、簡単に変えることが困難であるという問題があった。
【０００５】
例えば、リング照明装置として、リングファイバ照明を採用した場合には、ファイバの射出端からの出射光を個別に制御することが不可能であるため、リング状に均一な照明を行うことしかできない。また、例えば、リングLED照明を採用した場合には、リングLEDを１つまたは複数のグループとして点灯させることにより、照明方向を変えることはできるものの、各LEDを個別に制御するための制御装置を別途設ける必要があるため、その分コストがかかってしまう。
【０００６】
本発明はこのような状況に鑑みてなされたものであり、簡単な構成で、かつ、低コストで照明方向を変えることができるようにするものである。
【課題を解決するための手段】
【０００７】
本発明の照明アダプタは、リング状に試料を照明する照明装置に装着するための取付部と、照明装置に取り付けたとき照明光の光路に配置される第１の開口部とを備え、第１の開口部は、光路に対する第１の開口部の位置を変更する位置変更部材を備えることを特徴とする。
【発明の効果】
【０００８】
本発明によれば、簡単な構成で、かつ、低コストで照明方向を変えることができる。
【発明を実施するための最良の形態】
【０００９】
以下、図面を参照しながら本発明の実施の形態について説明する。
【００１０】
図１は、実体顕微鏡１の構成を示す概略構成図である。
【００１１】
実体顕微鏡１においては、ベース１０上に支柱１１が取り付けられている。支柱１１には、アーム部１２がガイド機構（図示せず）を介してＺ軸方向（合焦方向）に移動可能に設けられている。アーム部１２は、ピントハンドル１３の回転操作によってガイド機構を介して支柱１１に対してＺ軸方向（上下方向）に移動する。
【００１２】
アーム部１２の先端部には、実体顕微鏡１の本体部１４が取り付けられている。本体部１４は、その下部に対物レンズを収納する対物レンズ用の鏡筒２１を備えるとともに、上部に接眼部２２を備える。本体部１４はズームハンドル２３の回転操作によって像の倍率を変える。
【００１３】
鏡筒２１には、リング照明装置３１が取り付けられている。このリング照明装置３１からの照明光が、円周上から中心に向かって、ベース１０に設けられたステージ１５に載置された試料Ｓを照明する。また、リング照明装置３１には、照明アダプタ３２が着脱可能に取り付けられている。
【００１４】
図２は、実体顕微鏡１における、リング照明装置３１と、照明アダプタ３２（以下、それらをまとめて、照明系と称する）の詳細な構成を示す概略断面図である。
【００１５】
図２に示すように、照明アダプタ３２は、リング状に係合用突部３２ｂを有しており、弾性変形することにより、リング照明装置３１にリング状に設けられた係合用溝部３１ａと、スナップフィット式に係合される。すなわち、実体顕微鏡１においては、係合用溝部３１ａが設けられたリング照明装置３１を鏡筒２１に取り付けておくことにより、照明アダプタ３２を取り付けることが可能となる。
【００１６】
ここで、図２の矢印Ａの方向から照明系を見た場合の矢視図を図示すると、図３のようになる。すなわち、図３に示すように、照明アダプタ３２は、ドーナツ型の形状を有しており、その内周円は鏡筒２１に収納された対物レンズの光路となり、外周円はリング照明装置３１に対応する形状となることで、スナップフィット式で、リング照明装置３１に取り付けられる。
【００１７】
また、照明アダプタ３２には、図３に示すように、開口部３２Ａが設けられており、ユーザによって照明アダプタ３２の中心のＺ軸を回転軸とする回転操作が行われた場合、係合用突部３２ｂが係合用溝部３１ａに沿って回転するので、かかる回転操作に対応して開口部３２ＡもＺ軸を中心に回転する。すなわち、開口部３２Ａは、図３の点線の交差する位置であるリング照明装置３１の中心軸を軸としてＸＹ平面上を回転する。
【００１８】
なお、本実施の形態では、取付部である係合用突部３２ｂが、開口部の位置変更部材を兼ねているが、別個に設けられていてもよい。
【００１９】
従って、リング照明装置３１の照明部４１からの照明光は、開口部３２Ａの回転位置に応じてその照明方向が変えられることとなり、結果として、試料Ｓに対する照明方向も変わることになる。これにより、像のコントラストを変化させ、試料Ｓの凹凸を容易に検出することができる。また、本実施の形態においては、照明アダプタ３２をリング照明装置３１に取り付けるだけという簡単な構成で試料Ｓに対する照明方向を適切に変更できると同時に、別途他の装置を設けずに安価なコストで照明方向を変えることが可能となる。ここでの「照明方向」とは、リング照明装置３１の周方向の何れの位置から試料Ｓに向かって照明光が照射されるかを意味している。
【００２０】
なお、図２において、照明部４１は、リング照明装置３１として、リングファイバ照明を採用した場合には、ファイバ出射端となり、リングLED照明を採用した場合には、LEDとなる。また、リング照明装置３１は、それらの照明に限らず、例えば蛍光灯等、リング状に照明するリング照明に適用可能なその他の照明を採用することもできる。
【００２１】
ところで、照明アダプタ３２には、図４に示すように、開口部３３Ａを有している照明アダプタ３３をさらに取り付けることも可能である。すなわち、図４に示すように、照明アダプタ３２は、係合用突部３２ｂの他にさらにリング状の係合用溝部３２ａも有しており、その係合用溝部３２ａは、リング状の係合用突部３３ｂを有する照明アダプタ３３が弾性変形することにより、係合用突部３３ｂとスナップフィット式に係合される。
【００２２】
ここで、図４の矢印Ａの方向から照明系を見た場合の矢視図を図示すると、図５のようになる。すなわち、図５に示すように、照明アダプタ３３は、照明アダプタ３２と同様に、ドーナツ型の形状を有しており、その内周円は鏡筒２１に収納された光路となり、外周円は照明アダプタ３２に対応する形状となるので、スナップフィット式で、照明アダプタ３２に取り付けられる。
【００２３】
また、照明アダプタ３３には、照明アダプタ３２と同様に、開口部３３Ａが設けられており、ユーザによって照明アダプタ３３の中心のＺ軸を回転軸とする回転操作が行われた場合、係合用突部３３ｂが係合用溝部３２ａに沿って回転するので、それに応じて開口部３３ＡもＸＹ平面上を回転移動する。すなわち、開口部３３Ａは、リング照明装置３１のＺ軸方向の中心軸を軸としてＸＹ平面上を回転する。
【００２４】
図５においては、照明アダプタ３２は点線で表わされ、照明アダプタ３３は実線で表わされており、これは図４の断面図からも明らかなように、照明アダプタ３２と照明アダプタ３３とが２枚重ね合わされていることを意味している。つまり、照明アダプタ３２は開口部３２Ａを有し、照明アダプタ３３は開口部３３Ａを有しているので、照明アダプタ３２と照明アダプタ３３のそれぞれを照明アダプタの中心のＺ軸を中心軸とする回転操作して、開口部３２Ａ若しくは開口部３３Ａ、またはそれらの両者の回転位置を変えることで、照明部４１からの照明光の照明方向を変化させることが可能となる。
【００２５】
すなわち、図５の例では、開口部３２Ａと開口部３３Ａとが丁度重なる位置で、開口部３３Ａの開いている部分が最も大きくなり、開口部３２Ａと開口部３３Ａとの重なる部分が少なくなるほど、開口部３３Ａの開いている部分は小さくなり、開口部３３Ａを通過する照明の照度が低くなる。つまり、開口部３３Ａの回転位置を変更して照明方向を変化させるとともに、開口部３２Ａと重なる部分を調整することで、開口部３３Ａにおける照明を通過させる領域を変更し、より適切に照明方向を変更することが可能となる。
【００２６】
なお、図５の例では、開口部３２Ａと開口部３３Ａの開口部の大きさ形状は、同一の例を示したが、開口部の周方向の大きさや、半径方向の幅は異なったものでもよい。
【００２７】
また、例えば、図６に示すように、照明アダプタ３２の係合用溝部３２ａの形状を、そこに係合される照明アダプタ３４の係合用突部３４ｂがＺ軸方向（上下方向）に移動可能となるような形状とすることで、係合用溝部３２ａとスナップフィット式で係合された係合用突部３４ｂをＺ軸方向に移動させることが可能となる。すなわち、かかる係合用突部３４ｂを有する照明アダプタ３４は、リング照明装置３１に取り付けられた照明アダプタ３２に対しＺ軸方向に移動することで、照明部４１からの照明光の照明方向を変化させることが可能となる。これにより、上述したような、開口部３４ＡのＸＹ平面上の回転と、開口部３４Ａの照明を通過させる領域の変更に加えて、開口部３４ＡをＺ軸方向にも上下移動させることが可能となり、試料Ｓに対するより好適な種々の照明を施すことが可能となる。
【００２８】
以上のように、本発明によれば、リング照明装置３１に照明アダプタ３２等の照明アダプタを取り付けるだけで、簡単な構成で、かつ、低コストで照明方向を変えることが可能となる。
【００２９】
なお、本実施の形態においては、リング照明装置が取り付けられた顕微鏡として、実体顕微鏡を例に説明したが、それに限らず、本発明は、例えば、大口径ズームレンズによって標本を観察するモノズーム顕微鏡等のリング照明装置を使用する他の顕微鏡にも適用することが可能である。
【００３０】
また、本実施の形態では、開口部の形状として、例えば開口部３２Ａのような扇形の形状を例にして説明したが、かかる形状はそれに限らず、例えば矩形、円形や楕円形等の形状であってもよいし、図７に示すような切り欠き状の形状であってもよい。要は、リング照明装置の照明部からの照明光の一部を遮断できる形状であればよいのであって、その形状や大きさは任意である。
【００３１】
さらに、照明アダプタに対する開口部の数は１つに限らず、複数設けることが可能である。すなわち、照明アダプタには、種々の形状からなる開口部を１または複数設けることができ、かかる照明アダプタがリング照明装置に取り付けられるのである。この場合、照明光量の調節がより容易となる。
【００３２】
また、本実施の形態では、位置変更部材は、回転により開口の位置を変更する例を例示した。しかし、本発明の位置変更部材は、例えば、リング状の照明装置に対して、開口部を直線的にスライドさせる部材を複数備えるものでもよい。また、異なる開口部を有する複数のアダプタを用意し、適宜着脱させるようにしてもよい。
【００３３】
なお、本発明の実施の形態は、上述した実施の形態に限定されるものではなく、本発明の要旨を逸脱しない範囲において種々の変更が可能である。
【図面の簡単な説明】
【００３４】
【図１】実体顕微鏡の構成を示す概略構成図である。
【図２】照明系の詳細な構成を示す概略断面図である。
【図３】図２の照明系の矢視図である。
【図４】照明アダプタを２つ設けた場合における照明系の詳細な構成を示す概略断面図である。
【図５】図４の照明系の矢視図である。
【図６】上下方向に移動可能な照明アダプタを設けた場合における照明系の詳細な構成を示す概略断面図である。
【図７】切り欠き状の形状を有する照明アダプタの例を示す図である。
【符号の説明】
【００３５】
１  実体顕微鏡，  １０  ベース，  １１  支柱，  １２  アーム部，  １３  ピントハンドル，  １４  本体部，  １５  ステージ，  ２１  鏡筒，  ２２  接眼部，  ２３  ズームハンドル，  ３１  リング照明装置，  ３２乃至３４  照明アダプタ，  ３２Ａ乃至３４Ａ  開口部，  ３１ａおよび３２ａ  係合用溝部，  ３２ｂ乃至３４ｂ  係合用突部，  ４１  照明部
【図１】
2009186709.tif 000003
【図２】
2009186709.tif 000004
【図３】
2009186709.tif 000005
【図４】
2009186709.tif 000006
【図５】
2009186709.tif 000007
【図６】
2009186709.tif 000008
【図７】
2009186709.tif 000009